(57)【要約】【課題】  複数使用者が使用する生体情報検出機器から送信された生体情報データが、誰のデータであるか、正確に判断がつく生体情報計測システムを提供する。【解決手段】  使用者が身につけ、予め使用者と関連づけられた第１の識別コードを持つ携帯機器（１０２他）で、使用者が現在使用している生体情報検出機器（１０４他）を特定する。そして第１の識別コードを基に、生体情報検出機器（１０４他）の種類情報を加味して、第２の識別コードを作成し、その第２の識別コードを生体情報検出機器（１０４他）に送信する。生体情報検出機器（１０４他）は、第２の識別コードを自身の識別コードとし、検出した生体情報データと共にデータ収集装置に送信する。【選択図】    図１
2004358232.tif 000002
【特許請求の範囲】
【請求項１】
センサで生体情報を検出し、検出した生体情報データを無線通信で送信する生体情報検出機器と、
使用者が携帯し、予め使用者と関連づけられた第１の識別コードを有する携帯機器であって、使用者が使用中の生体情報検出機器を特定する検出機器特定手段と、その生体情報検出機器を識別する第２の識別コードを作成する識別コード作成手段と、その第２の識別コードを、使用者が使用中の生体情報検出機器に無線送信する識別コード送信手段を有する携帯機器と、から構成される生体情報計測システム。
【請求項２】
複数の前記生体情報検出機器から、生体情報データを無線通信によって収集するデータ収集装置を有し、
前記生体情報検出機器は、前記携帯機器から受信した前記第２の識別コードを、前記使用者が使用中の一時的な識別コードとして、前記生体情報データと共にデータ収集装置に無線送信することを特徴とする請求項１に記載の生体情報計測システム。
【請求項３】
前記携帯機器は、前記使用検出器特定手段として電波強度検出手段を有し、前記電波強度検出手段で検出された、最も電波強度の強い生体情報検出機器を、使用者が使用中の生体情報検出機器と特定し、前記識別コード送信手段によってその生体情報検出機器に前記第２の識別コードを送信することを特徴とする請求項１又は２に記載の生体情報計測システム。
【請求項４】
前記携帯機器は、前記使用機器特定手段として、前記生体情報検出機器への出力調整手段と感度調整手段を有し、前記出力調整手段と前記感度調整手段を使用して、より少ない送信出力による呼びかけに対して、最も少ない受信感度で受信できる応答を返した生体情報検出機器を、使用者が使用中の生体情報検出機器と特定し、前記識別コード送信手段によってその生体情報検出機器に前記第２の識別コードを送信することを特徴とする請求項１又は２に記載の生体情報計測システム。
【請求項５】
前記携帯機器は、前記使用機器特定手段として生体情報検出手段を有し、前記携帯機器で検出した生体情報データと、前記生体情報検出機器で検出した生体情報データの特徴が一致する場合に、前記生体情報検出機器を、使用者が使用中の生体情報検出機器と特定し、前記識別コード送信手段によってその生体情報検出機器に前記第２の識別コードを送信することを特徴とする請求項１又は２に記載の生体情報計測システム。
【請求項６】
前記生体情報検出機器は、前記携帯機器から生体情報データを受信し、前記携帯機器で検出した生体情報データと前記生体情報検出機器で検出した生体情報データの特徴が一致する場合に、前記携帯機器へ第２の識別コードの転送要求を送信し、
前記携帯機器は、該第２の識別コードの転送要求を送信した生体情報検出機器を、使用者が使用中の生体情報検出機器と特定し、前記識別コード送信手段によってその生体情報検出機器に前記第２の識別コードを送信する、請求項５に記載の生体情報計測システム。
【請求項７】
前記携帯機器が検出する生体情報は、使用者の脈拍、もしくは使用者の加速度である、請求項５又は６に記載の生体情報計測システム。
【請求項８】
前記生体情報検出機器は生体情報を検出し始めた時に、前記携帯機器に、第２の識別コードの転送を要求する識別コード要求手段を有することを特徴とした請求項１から７に記載の生体情報計測システム。
【請求項９】
前記生体情報検出機器は、生体情報を検出し始めた時に、前記携帯機器における生体情報の検出を停止する指令を送信する停止指令送信手段を有することを特徴とする請求項５又は６に記載の生体情報計測システム。
【請求項１０】
前記生体情報検出機器は、生体情報が検出不能になった場合に、前記携帯機器に、生体情報の検出を開始する指令を送信する開始指令送信手段を有することを特徴とする請求項５又は６に記載の生体情報計測システム。
【請求項１１】
前記生体情報検出機器は、前記生体情報検出機器において生体情報が検出不能になった時、前記携帯機器に生体情報データの転送を要求し、前記携帯機器からの生体情報も検出不能であった場合、異常事態と判断してデータ収集装置に緊急通信をする、請求項５又は６に記載の生体情報計測システム。
【請求項１２】
前記生体情報検出機器は、前記生体情報検出機器において生体情報が検出不能になった時、前記携帯機器に生体情報データの転送を要求し、前記携帯機器から正常に生体情報データを受信出来た場合、生体情報検出機器から被検者が離れたと判断する、請求項５又は６に記載の生体情報計測システム。
【請求項１３】
前記識別コード作成手段は、前記携帯機器が持つ第１の識別コードを基に、生体情報検出機器の種類情報を含んだ、第２の識別コードを生成することを特徴とした請求項１または２に記載の生体情報計測システム。
【請求項１４】
使用者が使用中の生体情報検出機器を特定するステップと、その生体情報検出機器を識別する識別コードを作成するステップと、その識別コードを、被験者が使用中の生体情報検出機器に無線送信するステップと、から構成される使用生体情報検出機器の特定方法。
【請求項１５】
前記、その識別コードを被験者が使用中の生体情報検出機器に無線送信するステップは、前記識別コードを使用者が使用中の一時的な識別コードとして、前記生体情報データと共にデータ収集装置に無線送信することを特徴とする請求項１４に記載の使用生体情報検出機器の特定方法。
【請求項１６】
前記、使用者が使用中の生体情報検出機器を特定するステップは、周辺の生体情報検出機器の電波強度を検出するステップと、電波強度が最も強い生体情報検出機器を選択するステップと、から構成されることを特徴とする請求項１４に記載の使用生体情報検出機器の特定方法。
【請求項１７】
前記、使用者が使用中の生体情報検出機器を特定するステップは、周辺の生体情報検出機器への送信出力を調整するステップと、生体情報検出機器からの受信感度を調整するステップと、最も少ない送信出力による送信に対して、最も少ない受信感度で受信できる応答を返した生体情報検出機器を、使用中の機器と判断するステップと、から構成されることを特徴とする請求項１４に記載の使用生体情報検出機器の特定方法。
【請求項１８】
前記、使用者が使用中の生体情報検出機器を特定するステップは、携帯機器で生体情報を検出するステップと、生体情報検出機器で生体情報を検出するステップと、携帯機器からの生体情報データと生体情報検出機器からの生体情報データを比較して、特徴が一致する生体情報検出機器を使用者が使用中の生体情報検出機器と判断するステップと、から構成されることを特徴とする請求項１４に記載の使用生体情報検出機器の特定方法。
【請求項１９】
使用者が使用中の生体情報検出機器を特定するステップと、その生体情報検出機器を識別する識別コードを作成するステップと、その識別コードを、被験者が使用中の生体情報検出機器に無線送信するステップと、から構成される使用生体情報検出器の特定方法を、コンピュータにより実行させるためのプログラムおよび、またはデータを記録したものであって、コンピュータにより処理可能なことを特徴とする生体情報計測方法を記録した記録媒体。
【請求項２０】
センサで生体情報を検出し、検出した生体情報データを無線通信で送信する生体情報検出機器と通信可能な携帯機器であって、
使用者が携帯し、予め使用者と関連づけられた第１の識別コードを有し、使用者が使用中の生体情報検出機器を特定する検出機器特定手段と、その生体情報検出機器を識別する第２の識別コードを作成する識別コード作成手段と、その第２の識別コードを、生体情報検出機器に無線送信する識別コード送信手段を有する携帯機器。
【請求項２１】
センサで生体情報を検出し、検出した生体情報データを無線通信で送信する生体情報検出機器から、無線通信によって生体情報データを収集するデータ収集装置であって、
その生体情報検出機器を識別する識別コードを使用者が使用時の一時的な識別コードとして、生体情報データと共に前記生体情報検出機器から無線受信するデータ収集装置。
【請求項２２】
センサで生体情報を検出し、検出した生体情報データを無線通信で送信する生体情報検出機器であって、
使用者が携帯する携帯機器から受信した前記第２の識別コードを前記使用者が使用時の一時的な識別コードとして、生体情報データと共にデータ収集装置に無線送信することを特徴とする生体情報検出機器。
【発明の詳細な説明】
【技術分野】
【０００１】
この発明は、被検出者の状態を検出する生体情報計測システム、使用生体情報検出機器の特定方法、使用生体情報検出機器の特定方法を記録した記録媒体、携帯機器、及びデータ収集装置に関するものである。
【背景技術】
【０００２】
ベッドやトイレの便器に、脈拍、体温等の生体情報を検出するセンサを取り付けることで生体情報検出機器とし、それら生体情報検出機器から通信によって生体情報データを収集して、個人の健康管理を行う装置が開示されている（例えば、特許文献１、特許文献２参照。）。
【特許文献１】特開平５−２２８１１６公報（第２６頁、図１）
【特許文献２】特開２０００−１３９８５８公報（第６頁、図１）
【発明の開示】
【発明が解決しようとする課題】
【０００３】
特許文献１、特許文献２では、生体情報検出機器の使用者が携帯するＩＤカード等のＩＤ送信装置から発せられる電波を生体情報検出機器が受信することで、生体情報検出機器の使用者を特定している。この場合、生体情報検出機器の近くにＩＤ送信装置を持った人が複数いると、生体情報検出機器は複数の人のＩＤ送信装置からの電波を受信してしまい、使用者が誰であるのか、判断を誤ってしまうことがあった。
【０００４】
またＩＤ送信装置は、定期的にＩＤデータを含んだ電波を送信し続けなければならず、ＩＤ送信装置の消費電流が大きかった。
【０００５】
また一つのデータ収集装置が、複数のタイプの生体情報検出機器から生体情報データを受信した場合、どのタイプの生体情報検出機器から受信した生体情報データであるか判断がつかなかった。
【課題を解決するための手段】
【０００６】
本発明はこのような事情に鑑みてなされたもので、センサで生体情報を検出し、検出した生体情報データを無線通信で送信する生体情報検出機器と、使用者が携帯し、予め使用者と関連づけられた第１の識別コードを有する携帯機器であって、使用者が使用中の生体情報検出機器を特定する検出機器特定手段と、その生体情報検出機器を識別する第２の識別コードを作成する識別コード作成手段と、その第２の識別コードを、使用者が使用中の生体情報検出機器に無線送信する識別コード送信手段を有する携帯機器と、から構成される。
【０００７】
また、複数の前記生体情報検出機器から、無線通信によって生体情報データを収集するデータ収集装置を有し、前記生体情報検出機器は、前記携帯機器から受信した前記第２の識別コードを、前記使用者が使用中の一時的な識別コードとして、生体情報データと共にデータ収集装置に無線送信する。
【０００８】
前記携帯機器は、前記使用検出器特定手段として電波強度検出手段を有し、前記使用検出器特定手段によって、前記電波強度検出手段で検出された最も電波強度の強い生体情報検出機器を使用者が使用中の生体情報検出機器と特定し、前記識別コード送信手段によってその生体情報検出機器に前記第２の識別コードを送信する形態と、
前記携帯機器は、前記使用機器特定手段として、前記生体情報検出機器への出力調整手段と感度調整手段を有し、前記出力調整手段と、前記感度調整手段を使用して、より少ない送信出力による呼びかけに対して、最も少ない受信感度で受信できる応答を返した生体情報検出機器を、使用者が使用中の生体情報検出機器と特定し、前記識別コード送信手段によってその生体情報検出機器に前記第２の識別コードを送信する形態と、
前記携帯機器は、前記使用機器特定手段として生体情報検出手段を有し、前記携帯機器で検出した生体情報データと、前記生体情報検出機器で検出した生体情報データの特徴が一致する場合に、前記生体情報検出機器を、使用者が使用中の生体情報検出機器と特定し、前記識別コード送信手段によってその生体情報検出機器に前記第２の識別コードを送信する形態がある。
【０００９】
また前記生体情報検出機器で、前記携帯機器で検出した生体情報データと前記生体情報検出機器で検出した生体情報データの特徴が一致するかを判断し、一致する場合、前記携帯機器へ第２の識別コードの転送要求を行い、前記携帯機器は、第２の識別コードの転送要求を送信した生体情報検出機器を、使用者が使用中の生体情報検出機器と特定し、前記識別コード送信手段によってその生体情報検出機器に前記第２の識別コードを送信する形態もある。
前記携帯機器が検出する生体情報は、使用者の脈拍もしくは使用者の加速度である。
【００１０】
また、前記生体情報検出機器は生体情報を検出し始めた時に、前記携帯機器に、第２の識別コードの転送を要求する識別コード要求手段を有する。
【００１１】
また、前記生体情報検出機器は、生体情報を検出し始めた時に、前記携帯機器における生体情報の検出を停止する指令を送信する停止指令送信手段を有する。
【００１２】
その後、前記生体情報検出機器は、生体情報が検出不能になった場合に、前記携帯機器に、生体情報の検出を開始する指令を送信する開始指令送信手段を有する。
【００１３】
また、前記生体情報検出機器は、前記生体情報検出機器において生体情報が検出不能になった時、前記携帯機器に生体情報データの転送を要求し、前記携帯機器からの生体情報も検出不能であった場合、異常事態と判断してデータ収集装置に緊急通信をする。また、前記携帯機器から正常に生体情報データを受信出来た場合、生体情報検出機器から被検者が離れたと判断する。
【００１４】
前記識別コード作成手段は、前記携帯機器が持つ第１の識別コードを基に、生体情報検出機器の種類情報を含んだ、第２の識別コードを生成する。
【発明の効果】
【００１５】
以上説明したように本発明の生体情報計測システムでは、使用者が身に付け、予め使用者と関連づけられた第１の識別コードを持つ無線通信機能付きの携帯機器が、使用者が使用している生体情報検出機器を特定し、その生体情報検出機器に、携帯機器の第１の識別コードを基に生体情報検出機器の種類情報を加味して作成した第２の識別コードを無線転送する。そして生体情報検出機器は、受信した第２の識別コードを、その生体情報検出機器の一時的な識別コードとし、生体情報データと共にその識別コードをデータ収集装置に送信する。これにより、各生体情報検出機器の識別コードと使用者の関連づけを、生体情報検出機器を使用する使用者が変わるたびに行う必要がなくなる。そして複数の使用者が使用する生体情報検出機器から送信された生体情報データが、誰の生体情報データであるかを正確に判断することが可能となる。
【００１６】
また携帯機器は、検出機器特定手段によって、使用者が使用している生体情報検出機器を特定し、識別コード送信手段によって、その生体情報検出機器に第２の識別コードを送信する。これにより、被験者が使用している生体情報検出機器のみに識別コードを送信することが出来、使用者が使用している生体情報検出機器の特定に誤りが無くなる。
【００１７】
また生体情報検出機器は、生体情報を検出し始めた時に、識別コード要求手段によって、使用者が携帯する携帯機器に第２の識別コードの転送を要求する。これにより、生体情報検出機器の識別コードは、使用者によって使われ始めた時から、使用者と対応した識別コードである、と見なすことが出来る。そして携帯機器は、その後、識別コードを送信し続ける必要が無く、通常は受信動作のみを行えば良い。一般的に無線通信は、送信動作より受信動作は電力を消費しないので、電力を節約することが出来る。
【００１８】
また携帯機器が生体情報検出手段を有する場合、生体情報検出機器は、携帯機器から第２の識別コードを受信した後、停止指令送信手段によって携帯機器における生体情報の検出を停止する指令を送信する。これにより、携帯機器の電力消費を節約することが出来る。
【００１９】
ここで生体情報検出機器は、生体情報検出不能になった場合、開始指令送信手段によって、携帯機器に生体情報の検出を開始する指令を送信する。これにより、使用者が生体情報検出機器を離れた時や異常時にも、生体情報の検出を滞りなく行うことが出来る。
【００２０】
またこの時、生体情報検出機器は携帯機器に生体情報データの転送を要求する。生体情報検出機器は、携帯機器からの生体情報も検出不能の場合、判断手段によって異常が発生したと判断し、データ収集装置に緊急異常通信する。また前記携帯機器からの生体情報データが正常の場合、判断手段によって生体情報検出機器から使用者が離れたと判断する。これにより、使用者は、生体情報検出機器が使用されなくなったのか、異常かの判断を的確に行うことが出来る。
【００２１】
また携帯機器は、携帯機器が持つ、予め使用者と関連づけられた第１の識別コードを基に、生体情報検出機器の種類情報を含んだ、第２の識別コードを作成する。そして、生体情報検出機器は、その第２の識別コードをその生体情報検出機器の一時的な識別コードとする。これにより、生体情報検出機器の識別コードは、使用者と対応した識別コードであると見なすことが出来る。またその識別コードだけで、どの種類の生体情報検出機器であるかの判断も行うことが出来る。
【発明を実施するための最良の形態】
【００２２】
以下、この発明につき図面を参照しつつ詳細に説明する。なお、この実施の形態によりこの発明が限定されるものではない。
【００２３】
図１は、本発明の生体情報計測システムの概要を示す図である。
【００２４】
本生体情報計測システムは、データ収集装置１０１と、使用者が携帯する携帯機器１０２、１０５、１０９、１１４、１２０と、生体情報検出機器として、ベッド型機器１０４と、トイレ型機器１１０と、行動モニタ装置１１６と、グルコースモニタ装置１１９からなる。
【００２５】
データ収集装置１０１は、各生体情報検出機器から無線送信されてくる生体情報データを収集する。
【００２６】
携帯機器１０２、１０５、１０９、１１４、１２０は、それぞれの使用者と関連付けられた第１の識別コードを持つ。また携帯機器１０２、１０５、１０９、１１４、１２０は、無線送受機能と生体情報検出機能を持ち、生体情報データをデータ収集装置に生体情報通信（１０３、１１７）として無線送信することもできる。
【００２７】
ベッド型機器１０４は、寝ている使用者から生体情報を検出する。ベッド型機器１０４は無線通信機能を持った制御装置１０７で制御され、寝ている使用者が身に付けている携帯機器１０５から第２の識別コードを無線通信でもらい（１０６）、検出した生体情報データをその識別コードと共に、データ収集装置に生体情報通信（１０８）として無線送信する。
【００２８】
トイレ型機器１１０は、便器に座っている使用者から生体情報を検出する。トイレ型機器１１０は無線通信機能を持った制御装置１１１で制御され、座っている使用者が身につけている携帯機器１０９から第２の識別コードを無線通信でもらい（１１２）、検出した生体情報データをその識別コードと共に、データ収集装置に生体情報通信（１１３）として無線送信する。
【００２９】
行動モニタ装置１１６は、使用者が身に付け、使用者の行動に関する加速度、角速度を検出する。行動モニタ装置１１６は無線通信機能を持ち、使用者が身に付けている携帯機器１１４から第２の識別コードを無線通信でもらい（１１５）、検出した生体情報データをその識別コードと共にデータ収集装置に生体情報通信（１１８）として無線送信する。
【００３０】
グルコースモニタ装置１１９は、使用者の血液中のグルコースを検出する。グルコースモニタ装置１１９は無線通信機能を持ち、使用者が身につけている携帯機器１２０から第２の識別コードを無線通信でもらい（１２１）、検出した生体情報データをその識別コードと共にデータ収集装置に生体情報通信（１２２）として無線送信する。
【００３１】
携帯機器１０２、１０５、１０９、１１４は、腕時計型、カード型等が考えられる。
【００３２】
図２は、携帯機器２０１と生体情報検出機器２０５とデータ収集装置２０６が有する機能を表すブロック図である。  携帯機器２０１は、携帯している使用者と関連づけられた第１の識別コードを持つ。検出機器特定手段２０４は、生体情報検出機器２０５と無線通信することによって現在使用している生体情報検出機器を特定する。識別コード作成手段２０２は、検出機器特定手段２０４からの情報に基づいて第２の識別コードを作成する。識別コード送信手段２０３は、生体情報検出機器２０５に第２の識別コードを送信する。生体情報検出機器２０５は、受信した第２の識別コードを自分の識別コードとして使用し、検出した生体情報データと共にデータ収集装置２０６へ無線送信する。
【００３３】
図３は、ベッド型、及びトイレ型生体情報検出機器の制御装置のハードウェア構成図である。ベッド型機器とトイレ型機器の制御装置は、生体情報を検出するセンサを除いては同じハードウェア構成である。
【００３４】
脈拍センサ３０１は、ベッド型機器の場合はベッドに寝ている使用者の、トイレ型機器の場合は便器に座っている使用者の、脈拍を検出する。脈拍センサ３０１で検出された信号は、脈拍センサ処理回路３０２でデジタルの数値データ変換されて、ＣＰＵ３０７に読みこまれ、ＲＡＭ３０９に一時記憶される。
【００３５】
また生体情報センサ３０３は、その他の生体情報センサを総括的に表しており、ベッド型機器の場合は、ベッドに寝ている使用者の、トイレ型機器の場合は便器に座っている使用者の、生体情報を検出する。生体情報センサ３０３で検出された信号は、生体情報センサ処理回路３０４でデジタルの数値データに変換されて、ＣＰＵ３０７に読み込まれる。生体情報検出センサは複数の種類が実装され、ベッド型機器の場合、呼吸センサ、体温センサ等が実装され、トイレ型機器の場合、体温センサ、尿糖検査センサ等が実装される。
【００３６】
タイマ３１０は、ＣＰＵ３０７によって時間の設定、及び読出しが可能である。
【００３７】
ＣＰＵ３０７は、ＲＯＭ３０８に格納されたソフトウェアに従って、生体情報検出機器全体を制御する。ＣＰＵ３０７は、一定時間間隔毎にセンサから生体情報を読み出し、そのデータを読出し時間と共にＲＡＭ３０９に一時記憶する。またＣＰＵ３０７は、生体情報センサから読み出され、ＲＡＭ３０９に一時記憶された生体情報データを、無線送受信機３０５とアンテナ３０６を使用してデータ収集装置に無線転送したり、前記携帯機器から第２の識別コードを受信したりする。
【００３８】
図４は、生体情報検出機器の行動モニタ装置の制御部分のハードウェア構成である。
【００３９】
行動モニタ装置は、使用者が身に付け加速度、角速度等を検出して使用者の行動を検出する装置である。
【００４０】
３個の加速度センサ４０１、４０３、４０５はで、使用者の３軸方向の加速度を検出する。３個の加速度センサ４０１、４０３、４０５で検出された信号は、それぞれの加速度処理回路４０２、４０４、４０６でデジタルの数値データ変換されて、ＣＰＵ４１５に読みこまれ、ＲＡＭ４１７に一時記憶される。
【００４１】
また、３個のジャイロセンサ４０７、４０９、４１１は、使用者の３軸方向の角加速度を検出する。３個のジャイロセンサ４０７、４０９、４１１で検出された信号は、それぞれのジャイロセンサ処理回路４０８、４１０、４１２でデジタルの数値データに変換されて、ＣＰＵ４１５に読み込まれ、ＲＡＭ４１７に一時記憶される。
【００４２】
ここでは、センサとして加速度センサとジャイロセンサの場合を挙げたが、その他センサとしてＧＰＳ等を使用してもよい。
【００４３】
タイマ４１８は、ＣＰＵ４１５によって時間の設定、読出しが可能である。
【００４４】
ＣＰＵ４１５は、ＲＯＭ４１６に格納されたソフトウェアに従って、行動センサ全体を制御する。ＣＰＵ４１５は、一定時間間隔毎に各センサから生体情報を読み出し、それらのデータを読出し時間と共にＲＡＭ４１７に一時記憶する。またＣＰＵ４１５は、各センサから読み出され、ＲＡＭ４１７に一時記憶された生体情報データを、無線送受信器４１４とアンテナ４１３を使用してデータ収集装置に無線転送したり、前記携帯機器から第２の識別コードを受信したりする。
【００４５】
図１７は、生体情報検出機器のグルコースモニタ装置の制御部分のハードウェア構成である。
【００４６】
グルコースセンサ１７０１は、血液吸引用の針を使用して吸引した血液中のグルコースを検出する。グルコースセンサは、所定の処理を施した血液に電圧を印加した時、血液に流れる電流値がグルコース濃度に比例する、ということを利用してグルコース濃度を検出する。もちろん、グルコース濃度の検出方法はこれに限らない。
【００４７】
グルコースセンサの検出信号は、グルコースセンサ処理回路１７０２でデジタル数値データに変換されて、ＣＰＵ１７０７に読みこまれ、ＲＡＭ１７０９に一時記憶される。
【００４８】
タイマ１７１０は、ＣＰＵ１７０７によって時間の設定、読出しが可能である。
【００４９】
ＣＰＵ１７０７は、ＲＯＭ１７０８に格納されたソフトウェアに従ってグルコースモニタ装置を制御する。ＣＰＵ１７０７は、血液中のグルコースを検出した時間を、生体情報データと共にＲＡＭ１７０９に一時記憶する。またＣＰＵ１７０７は、無線送受信器１７０５とアンテナ１７０６を使用して、グルコースセンサから読み出され、ＲＡＭ１７０９に一時記憶された生体情報データをデータ収集装置に無線転送したり、前記携帯機器から第２の識別コードを受信したりする。
【００５０】
図５は、データ収集装置のハードウェア構成図である。データ収集装置は、ＲＯＭ５０４に記憶されたプログラムに従って動作するＣＰＵ５０１によって制御される。ＣＰＵ５０１は、無線送受信機５０２とアンテナ５０３を使用して、生体情報検出機器に指示コマンドを送信したり、生体情報検出機器から送られたデータを受信したりする。生体情報検出機器から受信したデータは、メモリ５０５に一時記憶された後に、記憶装置５０６に記憶される。記憶装置５０６はハードディスク等が使用される。
【００５１】
データ収集装置は、収集したデータを外部に転送するために、外部回線インターフェイス５０８を備え、外部回線５０９と接続する。外部回線としてはＬＡＮや公衆回線等があり、これらの回線を経由してセンターサーバー５１０に接続する。
【００５２】
センターサーバーは、データ収集装置からの生体情報データを集約して、各種の分析や外部に対するサービスを行う。
【００５３】
図６は、生体情報検出機器からデータ収集装置に無線送信されるデータのパケット構造を示す図である。
【００５４】
パケットは、送り先識別コード６０１、送り元の識別コード６０２、生体情報データ６０３、ＦＣＳ６０４よりなる。
【００５５】
送り先識別コード６０１は、データ送信先のデータ収集装置の識別コードである。
送り元識別コード６０２は、データを転送した生体情報検出機器の識別コードである。この送り元識別コードは、前記携帯機器から受信した第２の識別コードが使用される。
【００５６】
生体情報データ６０３は、生体情報検出機器でサンプリングされたデータである。
【００５７】
ＦＣＳ６０４は、パケットのエラーを検出するためのコードで、パケットの先頭から生体情報データ６０４の最後までを計算した１６ビットのＣＲＣコード等が使用される。
【００５８】
データ収集装置は、パケットに含まれる送り元識別コード６０２から、どの生体情報検出機器から送って来たデータであるかを判断し、それが誰の生体情報データであるかを判断する。
(第１の実施形態)
【００５９】
図７は、前記携帯機器の第１の実施形態のハードウェア構成図である。
【００６０】
ＣＰＵ７０４は、ＲＯＭ７０５に記憶されたソフトウェアに従って携帯機器全体を制御する。使用者が使用している生体情報検出機器を特定する検出機器特定手段、及び生体情報検出機器を識別する第２の識別コードを作成する識別コード作成手段も、このソフトウエアによって実現される。よって、検出機器特定手段及び識別コード作成手段が行う動作は、ＣＰＵ７０４が行う動作である。
【００６１】
無線送受信機７０２は、アンテナ７０３を経由して、周辺に存在する生体情報検出機器とメッセージの送受信を行う。
【００６２】
電波強度検出回路７０１は、周辺に存在する生体情報検出機器から送信される電波の強度を測定する。この電波強度測定結果から現在使用中の生体情報検出機器を特定する。
【００６３】
ＲＡＭ７０６は、周辺に存在する生体情報検出機器の電波強度の一時記憶等に使用される。
【００６４】
図８は、図７の構成の携帯機器における、電波強度検出回路７０１により現在使用中の生体情報検出機器を特定する検出機器特定手段の動作を表すフローチャートである。検出機器特定手段の動作は、ＣＰＵ７０４により行われる。
【００６５】
ステップＳ８０１で検出機器特定手段は、周辺に存在する全ての生体情報検出機器にメッセージを無線送信する（ブロードキャスト通信する）。メッセージは、生体情報検出機器にメッセージを返信せよとの内容で、そのデータ形式には数バイトのコード等を使用する。生体情報検出機器が返信するメッセージには、生体情報検出機器の種類等の情報が含まれる。
【００６６】
ステップＳ８０２で検出機器特定手段は、生体情報検出機器より返信メッセージが受信出来たかどうかを判断する。そして、返信メッセージ受信と共に、電波強度検出回路（図７の７０１）によって返信メッセージの電波強度を検出する。返信メッセージが受信出来た場合は、ステップＳ８０６に進み、その電波強度をＲＡＭ（図７の７０６）に記憶する。
【００６７】
周辺に存在する生体情報検出機器が複数ある場合は、複数の返信メッセージが返信される。そのため検出機器特定手段は、ステップＳ８０３で、予め設定した受信待ち時間を経過するまで、生体情報検出機器からの返信メッセージの受信を続ける。
【００６８】
ステップＳ８０３で、予め設定した受信待ち時間を経過したと判断された場合はステップＳ８０４に進み、検出機器特定手段は、ステップＳ８０６で記憶した返信メッセージの電波強度の中で、最も強い電波強度のメッセージを返した生体情報検出機器を現在使用中の機器であると特定する。
【００６９】
ＣＰＵ７０４による検出機器特定手段の動作はこれで終了であるが、ＣＰＵ７０４は識別コード作成手段により、次のステップＳ８０５で、ステップS８０４で特定した生体情報検出機器の識別コード（第２の識別コード）を作成する。識別コード作成手段の動作に関しては、図９で説明する。ステップＳ８０７で、ステップＳ８０４で特定した生体情報検出機器に、ステップＳ８０５で作成した第２の識別コードを送信する。
【００７０】
図９は、図８のステップＳ８０５の第２の識別コードの作成手段の動作を示すフローチャートである。識別コードの作成手段の動作は、ＣＰＵ７０４により行われる。
【００７１】
ステップＳ９０１で識別コード作成手段は、第２の識別コードを送る対象の生体情報検出機器がベッド型機器かどうかを判断する。この判断は、図８のステップＳ８０２の生体情報検出機器より受信した返信メッセージに、その生体情報検出機器の種類を識別するデータがあるので、そのデータを使用して行われる。
【００７２】
ステップＳ９０１で、生体情報検出機器がベッド型であると判断された場合、ステップＳ９０４に進み、携帯機器の識別コード（第１の識別コード）に、例えば「Ｂ」を付けたコードを、そのベッド型生体情報検出機器の識別コード（第２の識別コード）とする。例えば、携帯機器の識別コード（第１の識別コード）が、「１２３４」の場合は、「１２３４Ｂ」が、そのベッド型生体情報検出機器の識別コード（第２の識別コード）となる。
【００７３】
ステップＳ９０２で識別コードの作成手段は、第２の識別コードを送る対象の生体情報検出機器が行動モニタ装置かどうかを判断する。この判断は、図８のステップＳ８０２の生体情報検出機器より受信した返信メッセージに、その生体情報検出機器の種類を識別するデータがあるので、そのデータを使用して行われる。
【００７４】
ステップＳ９０２で、生体情報検出機器が行動モニタ装置であると判断された場合、ステップＳ９０５に進み、携帯機器の識別コード（第１の識別コード）に、例えば「M」を付けたコードを、その行動モニタ装置の識別コード（第２の識別コード）とする。例えば、携帯機器の識別コード（第１の識別コード）が、「１２３４」の場合は、「１２３４M」が、その行動モニタ装置の識別コード（第２の識別コード）となる。
【００７５】
ステップＳ９０３で識別コードの作成手段は、第２の識別コードを送る対象の生体情報検出機器がトイレ型かどうかを判断する。この判断は、図８のステップＳ８０２の生体情報検出機器より受信した返信メッセージに、その生体情報検出機器の種類を識別するデータがあるので、そのデータを使用して行われる。
【００７６】
ステップＳ９０３で、生体情報検出機器がトイレ型であると判断された場合、ステップＳ９０６に進み、携帯機器の識別コード（第１の識別コード）に、例えば「T」を付けたコードを、そのトイレ型生体情報検出機器の識別コード（第２の識別コード）とする。例えば、携帯機器の識別コード（第１の識別コード）が、「１２３４」の場合は、「１２３４T」が、そのトイレ型生体情報検出機器の識別コード（第２の識別コード）となる。
【００７７】
図１０は、前記検出機器特定手段の動きに対応した、生体情報検出機器の動作を示すフローチャートである。
【００７８】
ステップＳ１００１で生体情報検出機器は、携帯機器からのメッセージが受信されたかどうかを判断する。このメッセージは、図８のステップＳ８０１で携帯機器が送信するメッセージである。メッセージが受信された場合、生体情報検出機器はステップＳ１００２でメッセージを送信して来た携帯機器に返信メッセージを送信する。返信メッセージには、この生体情報検出機器の種類を示すデータが含まれる。この返信メッセージを携帯機器は受信して、電波強度を測定・記憶する（図８のステップ８０６）
携帯機器は、周囲にある生体情報検出機器のうち、電波強度が最大である生体情報検出機器に、その生体情報検出機器の識別コード（第２の識別コード）を送信するので、生体情報検出機器は、ステップＳ１００３で、第２の識別コードが受信出来たかを判断する。受信できなかった場合は、ステップＳ１００１に戻り、再び携帯機器からのメッセージ受信待ちを行う。第２の識別コードが受信出来た場合、生体情報検出機器はその識別コードを今後生体情報検出機器が使用する識別コードとする。
【００７９】
ステップＳ１００４で生体情報検出機器は、生体情報センサから生体情報が検出出来るかを判断する。生体情報が検出出来ない場合、この生体情報検出機器は実際には現在、使用者に使用されて無いと判断し、生体情報検出機器はステップＳ１００１に戻って再び携帯機器からのメッセージ待ちを行う。
【００８０】
ステップＳ１００４で、生体情報が検出出来た場合、生体情報検出機器はステップＳ１００５で生体情報センサから生体情報データを読出す。そしてステップＳ１００６で、生体情報データにステップＳ１００３で受信した第２の識別コードを添付してデータ収集装置へ無線送信する。
【００８１】
生体情報検出機器は、ステップＳ１００７で一定時間待ち、その後ステップＳ１００４に戻り再び生体情報データの読出し処理を繰り返す。ステップＳ１００７の一定時間待ちは、生体情報センサから生体情報データを読み出す間隔である。
（第２の実施の形態）
【００８２】
図１１は、前記携帯機器の第２の実施形態のハードウェア構成図である。
【００８３】
ＣＰＵ１１０５は、ＲＯＭ１１０６に記憶されたソフトウェアに従って携帯機器全体を制御する。使用者が使用している生体情報検出機器を特定する検出機器特定手段、及び生体情報検出機器を識別する第２の識別コードを作成する識別コード作成手段も、このソフトウエアによって実現される。よって、検出機器特定手段及び識別コード作成手段が行う動作は、ＣＰＵ１１０５が行う動作である。
【００８４】
ＲＡＭ１１０７は、ＣＰＵ１１０５の制御データの記憶に使用する。
【００８５】
無線送受信器１１０３は、アンテナ１１０４を経由して、周辺に存在する生体情報検出機器とメッセージの送受信を行う。
【００８６】
送信出力調整回路１１０２は、ＣＰＵ１１０５からの指令によって無線送受信器の送信出力を変更する。
【００８７】
受信感度調整回路１１０１は、ＣＰＵ１１０５からの指令によって無線送受信器１１０３の受信感度を変更する。
【００８８】
ＣＰＵ１１０５は、送信出力調整回路１１０２と受信感度調整回路１１０１を使用して、無線送受信器１１０３の送信出力と受信感度を変更し、現在使用中の生体情報検出機器を特定する。
【００８９】
図１２は、図１１の構成の携帯機器における、現在使用中の生体情報検出機器を特定する検出機器特定手段の動作を表すフローチャートである。検出機器特定手段の動作は、ＣＰＵ１１０５により行われる。
【００９０】
ステップＳ１２０１で検出機器特定手段は、送信出力を予め定めた値Ａだけ小さくした値とする。ステップＳ１２０２で検出機器特定手段は、受信感度を予め定めた値Ｂだけ小さくした値とする。
【００９１】
ステップＳ１２０３で検出機器特定手段は、周辺に存在する全ての生体情報検出機器にメッセージを無線送信する（ブロードキャスト通信する）。メッセージは、生体情報検出機器にメッセージを返信せよとの内容で、そのデータ形式には、数バイトのコード等を使用する。生体情報検出機器が返信するメッセージには、生体情報検出機器の種類等の情報が含まれる。
【００９２】
ステップＳ１２０４で検出機器特定手段は、生体情報検出機器より返信メッセージを受信する。
【００９３】
ステップＳ１２０５で検出機器特定手段は、生体情報検出機器よりメッセージが受信出来たかを判断する。ステップＳ１２０５でメッセージが受信出来なかった場合、検出機器特定手段は送信出力と受信感度が小さすぎたと判断し、ステップＳ１２０６で送信出力を予め定めた値Ｃだけ大きくした値とし、ステップＳ１２０７で受信感度を予め定めた値Ｄだけ大きくした値として、ステップＳ１２０３に進み再びメッセージの送信を行う。
【００９４】
ステップＳ１２０５で、生体情報検出機器からの返信メッセージが受信出来た場合は、ステップＳ１２０８に進み、検出機器特定手段は返信メッセージを受信出来た生体情報検出機器が１個であるかを判断する。ステップＳ１２０８で、返信メッセージを受信出来た生体情報検出機器が複数である場合は、ステップＳ１２０１に戻り、ステップＳ１２０１で送信出力を小さくして、ステップＳ１２０２で受信感度を小さくして、ステップＳ１２０３で再び周辺に存在する生体情報検出機器にメッセージを送信する。
【００９５】
ステップＳ１２０８で、メッセージを受信出来た生体情報検出機器が１個であると判断された場合、最も近くにある生体情報検出機器が検出出来たと見なすことが出来る。そして検出機器特定手段は、その生体情報検出機器を使用者が現在使用中の生体情報検出機器であると特定する。
【００９６】
ＣＰＵ１１０５による検出機器特定手段の動作はこれで終了であるが、ＣＰＵ１１０５は識別コード作成手段により、次のステップＳ１２０９で、その特定した生体情報検出機器の識別コード（第２の識別コード）を作成する。そしてステップＳ１２１０で、その特定した生体情報検出機器に、ステップＳ１２０９で作成した第２の識別コードを送信する。識別コード作成手段の動作に関しては、図９と同様である。
【００９７】
この実施形態の場合の生体情報検出機器側フローチャートは、図１０と同様である。
(第３の実施の形態)
【００９８】
図１３は、前記携帯機器の第３の実施形態のハードウェア構成図である。
【００９９】
本実施形態の携帯機器は、生体情報を検出する機能を持つ。ここでは、脈拍を検出する脈拍センサ１３０１と、被検者の加速度を検出する加速度センサ１３０３の場合の例を示す。その他にセンサとしては、体温、血流等を検出するものが使用される。
【０１００】
脈拍センサ１３０１で検出された脈波は、脈拍センサ処理回路１３０２でデジタルデータに変換される。また加速度センサ１３０３で検出された加速度は、加速度センサ処理回路１３０４でデジタルデータに変換される。これらのセンサ情報データは、ＲＯＭ１３１１に格納されたプログラムによって、携帯機器全体を制御するＣＰＵ１３１０の制御によって、ＲＡＭ１３１２に一時記憶される。
【０１０１】
ＣＰＵ１３１０は、ＲＯＭ１３１１に記憶されたソフトウェアに従って携帯機器全体を制御する。
【０１０２】
ＣＰＵ１３１０は、無線送受信機１３０５とアンテナ１３０６を使用して、ＲＡＭ１３１２に一時記憶した生体情報データをデータ収集装置に無線送信したり、周辺にいる生体情報検出機器と情報を交換したり、前記第２の識別コードを送信したりする。
【０１０３】
生体情報検出機器を識別する第２の識別コードを作成する識別コード作成手段も、このソフトウエアによって実現される。よって識別コード作成手段が行う動作は、ＣＰＵ１３１０が行う動作である。
【０１０４】
タイマ１３１３は、ＣＰＵ１３１０によって現在時間の呼び出しが可能である。ＣＰＵ１３１０は、各センサがデータをサンプリングする際、タイマ１３１３の時刻を呼び出し、その時間をサンプリング時間とする。サンプリング時間は、各センサのサンプリングデータと共に記憶される。
【０１０５】
図１４は、生体情報検出機器が自身で使用者を特定した場合の、携帯機器の動作であり、携帯機器が第２の識別コードを作成し、送信する動作を表すフローチャートである。
【０１０６】
ステップＳ１４０１で携帯機器は、脈拍センサ、加速度センサ等で生体情報を検出し、ステップＳ１４０２で生体情報データをデータ収集装置に無線送信する。
【０１０７】
ステップＳ１４０３で携帯機器は、周辺にある生体情報検出機器より生体情報データの転送要求があるかを判断する。周辺にある生体情報検出機器は、自分自身のセンサで生体情報を検出し始めると周辺に存在する携帯機器に、携帯機器側で検出した生体情報データの転送を要求する。生体情報データの転送要求は、脈拍・加速度の両方が要求される場合と、それぞれが個別に要求される場合がある。
【０１０８】
ステップＳ１４０３で、周辺にある生体情報検出機器より生体情報データの転送要求があった場合は、ステップＳ１４０４に進み、携帯機器はその生体情報検出機器に生体情報データを送信する。
【０１０９】
ステップＳ１４０５で携帯機器は、周辺にある生体情報検出機器より、その生体情報検出機器の識別コード（第２の識別コード）の転送要求があるかを判断する。周辺の生体情報検出機器は、携帯機器から送信された生体情報データと自らが検出した生体情報データの特徴が一致すると、携帯機器に、今後生体情報検出機器が使用する識別コード（第２の識別コード）の転送を要求する。
【０１１０】
ステップＳ１４０５で、周辺にある生体情報検出機器より第２の識別コードの転送要求があった場合は、ステップＳ１４０６へ進み、携帯機器のＣＰＵ１３１０により動作する識別コード作成手段が生体情報検出機器の識別コード（第２の識別コード）を作成する。そしてステップＳ１４０７で、その生体情報検出機器に第２の識別コードを送信する。
【０１１１】
ステップＳ１４０８で携帯機器は、第２の識別コードを送信した生体情報検出機器より、生体情報検出停止要求が有るかを判断する。生体情報検出機器は、携帯機器より第２の識別コード受信後に、携帯機器が省電力をはかれるように、携帯機器に生体情報の検出停止要求を無線送信する。
【０１１２】
ステップＳ１４０８で、携帯機器が生体情報検出停止要求を受信した場合、ステップＳ１４０９でセンサ関係の回路電源を切断して、消費電力を節約する。
【０１１３】
ステップＳ１４１０で携帯機器は、生体情報検出機器より生体情報検出開始要求が有るかを判断する。生体情報検出機器は、自身の保有するセンサでの生体情報の検出が不能になった場合に、携帯機器に生体情報検出開始要求を送信する。生体情報検出要求が有った場合、ステップＳ１４１１で携帯機器はセンサ関係の回路電源を投入して、再びステップＳ１４０１に戻り生体情報の検出を開始する。
【０１１４】
図１５は、ベッド型とトイレ型生体情報検出機器が、自身で使用者を特定し、使用者が所有する携帯機器から、第２の識別コードを入手するフローチャートである。
【０１１５】
ステップＳ１５０１で生体情報検出機器は、自身の生体情報センサが生体情報を検出し始めたかを判断する。生体情報センサが生体情報を検出し始めた場合、ベッド型生体情報検出機器の場合、使用者がベッドに寝たと判断出来、トイレ型生体情報検出機器の場合、使用者が便器に座ったと判断出来るので、ステップＳ１５０２に進み、生体情報検出機器は周辺の携帯機器を探索する。そして生体情報検出機器は、ステップＳ１５０３で探索された携帯機器に、携帯機器で検出した脈拍データの送信を要求し、ステップＳ１５０４で携帯機器より脈拍データを受信する。
【０１１６】
ステップＳ１５０５で生体情報検出機器は、生体情報検出機器が検出した脈拍データと、携帯機器から受信した脈拍データの特徴が一致するかを判断する。ここでは、生体情報検出機器と携帯機器の各々によって検出された、脈拍数、周期、位相等といった脈拍データの特徴を表す数値の差が、予め定めた値よりも少ない場合、脈拍データの特徴が一致したと判断する。
【０１１７】
ステップＳ１５０５で、脈拍データの特徴が一致しないと判断された場合は、ステップＳ１５０２に戻り、生体情報検出機器は周辺にある他の携帯機器の探索を行う。
【０１１８】
ステップＳ１５０５で、脈拍データの特徴が一致したと判断された場合は、ステップＳ１５０６へ進み、生体情報検出機器はその携帯機器に、今後生体情報検出機器が使用する識別コード（第２の識別コード）の送信を要求する。
【０１１９】
ステップＳ１５０７で生体情報検出機器は、携帯機器から第２の識別コードを受信する。そしてステップＳ１５０８で生体情報検出機器は、携帯機器に生体情報の検出停止要求を送信する。これは、生体情報はベッド型機器、あるいはトイレ型機器側で検出し、携帯機器の電力を節約するためである。
【０１２０】
ステップＳ１５０９で生体情報検出機器は、脈拍センサ等の生体情報センサから生体情報データを読み出す。
【０１２１】
ステップＳ１５１０で生体情報検出機器は、読み出した生体情報データに、ステップＳ１５０７で受信した第２の識別コードを添付してデータ収集装置へ転送する。
【０１２２】
ステップＳ１５１１で生体情報検出機器は、一定時間待つ。この一定時間は生体情報を検出するサンプリング間隔である。
【０１２３】
ステップＳ１５１２で生体情報検出機器は、生体情報が検出出来るかを確認する。生体情報が検出出来る場合は、ステップＳ１５０９に戻り、再び生体情報データの読出しを行う。
【０１２４】
ステップＳ１５１２で、生体情報が検出出来ない場合は、被検者がベッドから離れたか、トイレ型機器から離れたか、異常事態が発生したか、が考えられる。その場合はステップS１５１３に進む。
【０１２５】
ステップＳ１５１３で生体情報検出機器は、携帯機器に生体情報の検出開始要求を送信する。
【０１２６】
ステップＳ１５１４で生体情報検出機器は、携帯機器に検出した脈拍等の生体情報データの送信要求を送信する。
【０１２７】
ステップＳ１５１５で生体情報検出機器は、携帯機器より生体情報データを受信する。
【０１２８】
ステップＳ１５１６で生体情報検出機器は、携帯機器より受信した脈拍等の生体情報データが正常かどうかを判断する。脈拍等の生体情報データが正常の場合は、ステップＳ１５１８に進み、ベッド型機器、あるいはトイレ型機器から使用者が離れたと判断する。脈拍等の生体情報データが異常の場合は、ステップＳ１５１７に進み、異常事態発生をデータ収集装置に無線送信する。
【０１２９】
図１６は、行動モニタ装置が、自身で使用者を特定し、使用者が所有する携帯機器から、第２の識別コードを入手するのフローチャートである。
【０１３０】
ステップＳ１６０１で行動モニタ装置は、加速度センサまたはジャイロセンサが、加速度データまたはジャイロデータを検出し始めたかを判断する。加速度データまたはジャイロデータを検出し始めた場合、使用者が行動モニタ装置を使用し始めたと判断できるので、ステップＳ１６０２に進み、行動モニタ装置は周辺の携帯機器を探索する。そして行動モニタ装置は、ステップＳ１６０３で探索した携帯機器に、携帯機器で検出した加速度データの送信を要求し、ステップＳ１６０４で携帯機器より加速度データを受信する。
【０１３１】
ステップＳ１６０５で行動モニタ装置は、行動モニタが検出した加速度と、携帯機器から受信した加速度データの特徴が一致するかを判断する。ここでは、行動モニタ装置と携帯機器の各々によって検出された、加速度の周期、位相等といった加速度データの特徴を表す数値の差が、予め定めた値よりも少ない場合、加速度データの特徴が一致したと判断する。
【０１３２】
ステップＳ１６０５で、加速度データの特徴が一致しないと判断された場合は、ステップＳ１６０２に戻り、行動モニタ装置は周辺にある他の携帯機器の検出を行う。
【０１３３】
ステップＳ１６０５で、加速度データの特徴が一致したと判断された場合は、ステップＳ１６０６へ進み、行動モニタ装置はその携帯機器に第２の識別コードの送信を要求する。
【０１３４】
ステップＳ１６０７で行動モニタ装置は、携帯機器から第２の識別コードを受信する。
【０１３５】
ステップＳ１６０８で行動モニタ装置は、加速度、ジャイロセンサから生体情報データを読み出す。
【０１３６】
ステップＳ１６０９で行動モニタ装置は、読み出した生体情報データに、ステップＳ１６０７で受信した第２の識別コードを添付してデータ収集装置へ転送する。
【０１３７】
ステップＳ１６１０で行動モニタ装置は、一定時間待つ。この一定時間はセンサからデータを検出するサンプリング間隔である。
【０１３８】
ステップＳ１６１１で行動モニタ装置は、加速度、ジャイロデータが検出出来るかを確認する。加速度、ジャイロデータが検出出来る場合は、ステップＳ１６０８に戻り、再び加速度、ジャイロデータの読出しを行う。
【０１３９】
ステップＳ１６０８で加速度、ジャイロデータが読み出せない場合は、再びステップＳ１６０１に戻り、加速度、ジャイロデータの検出待ちを行う。
【０１４０】
尚、第３の実施の形態では、生体情報検出機器が携帯機器から生体情報データを受信し、その生体情報データと自身のセンサが検出した生体情報データとを比較することで、使用者の特定を行ったが、使用者の特定は携帯機器で行ってもよい。その場合、携帯機器は、生体情報検出機器から生体情報データを受信し、その生体情報データと携帯機器のセンサが検出した生体情報データとを比較することで、使用者の特定を行う。
【０１４１】
尚、上記で説明した生体情報検出機器の、ＣＰＵが行う機能を実現するためのプログラムを、コンピュータに読み取り可能な記録媒体に記録し、この記録媒体に記録されたプログラムを、センサを有し、且つプログラムを読み取って実行することが可能な機器に読みこませて実行することで、その機器を本発明の生体情報検出機器として使用することも出来る。
【０１４２】
また、上記で説明した携帯機器の、ＣＰＵが行う機能を実現するためのプログラムを、コンピュータに読み取り可能な記録媒体に記録し、この記録媒体に記録されたプログラムを、プログラムを読み取って実行することが可能な機器に読みこませて実行することで、その機器を本発明の携帯機器として使用することも出来る。ここで、センサを有し、且つプログラムを読み取って実行することが可能な機器を用いれば、本発明の第３の実施の形態にあるように、生体情報検出器での使用者の特定が可能となる。
【図面の簡単な説明】
【０１４３】
【図１】本発明の生体情報計測システムの概要を示す図である。
【図２】本発明の機能ブロック図である。
【図３】本発明のベッド型、及びトイレ型生体情報検出機器の制御装置ハードウェア構成図である。
【図４】本発明の行動モニタ装置の制御部分のハードウェア構成図である。
【図５】本発明のデータ収集装置のハードウェア構成図である。
【図６】本発明の生体情報検出機器から、送信されるデータのパケット構造を示す図である。
【図７】本発明の携帯機器の第１の実施形態のハードウェア構成図である。
【図８】本発明の携帯機器の第１の実施形態での検出機器特定手段のフローチャートである。
【図９】本発明の第２の識別コードの作成手段のフローチャートである。
【図１０】本発明の携帯機器の第１の実施形態での検出機器特定手段に対応した生体情報検出機器側のフローチャートである。
【図１１】本発明の携帯機器の第２の実施形態のハードウェア構成図である。
【図１２】本発明の携帯機器の第２の実施形態での検出機器特定手段のフローチャートである。
【図１３】本発明の携帯機器の第３の実施形態のハードウェア構成図である。
【図１４】本発明の携帯機器の第３の実施形態での検出機器特定手段のフローチャートである。
【図１５】本発明の携帯機器の第３の実施形態での検出機器特定手段に対応したベッド型機器、及びトイレ型機器のフローチャートである。
【図１６】本発明の携帯機器の第３の実施形態での検出機器特定手段に対応した行動モニタ装置のフローチャートである。
【図１７】本発明のグルコースモニタ装置の制御部分のハードウェア構成図である。
【符号の説明】
【０１４４】
１０１  データ収集装置
１０２  携帯機器
１０３  生体情報通信
１０４  ベッド型機器
１０５  携帯機器
１０６  第２の識別コード通信
１０７  ベッド型機器制御装置
１０８  生体情報通信
１０９  携帯機器
１１０  トイレ型機器
１１１  トイレ型機器制御装置
１１２  第２の識別コード通信
１１３  生体情報通信
１１４  携帯機器
１１５  第２の識別コード通信
１１６  行動モニタ装置
１１７  生体情報通信
１１８  生体情報通信
１１９  グルコースモニタ装置
１２０  携帯機器
１２１  第２の識別コード通信
１２２  生体情報通信
２０１  携帯機器
２０２  識別コード作成手段
２０３  識別コード送信手段
２０４  検出機器特定手段
２０５  生体情報検出機器
２０６  データ収集装置
３０１  脈拍センサ
３０２  脈拍センサ処理回路
３０３  生体情報センサ
３０４  生体情報センサ処理回路
３０５  無線送受信機
３０６  アンテナ
３０７  ＣＰＵ
３０８  ＲＯＭ
３０９  ＲＡＭ
３１０  タイマ
４０１  加速度センサ
４０２  加速度処理回路
４０３  加速度センサ
４０４  加速度処理回路
４０５  加速度センサ
４０６  加速度処理回路
４０７  ジャイロセンサ
４０８  ジャイロセンサ処理回路
４０９  ジャイロセンサ
４１０  ジャイロセンサ処理回路
４１１  ジャイロセンサ
４１２  ジャイロセンサ処理回路
４１３  アンテナ
４１４  無線送受信機
４１５  ＣＰＵ
４１６  ＲＯＭ
４１７  ＲＡＭ
４１８  タイマ
５０１  ＣＰＵ
５０２  無線送受信機
５０３  アンテナ
５０４  ＲＯＭ
５０５  メモリ
５０６  記憶装置
５０８  外部回線インターフェイス
５０９  外部回線
５１０  センターサーバー
６０１  送り先識別コード
６０２  送り元識別コード
６０３  生体情報データ
６０４  ＦＣＳ
７０１  電波強度検出回路
７０２  無線送受信機
７０３  アンテナ
７０４  ＣＰＵ
７０５  ＲＯＭ
７０６  ＲＡＭ
１１０１  受信感度調整回路
１１０２  送信出力調整回路
１１０３  無線送受信機
１１０４  アンテナ
１１０５  ＣＰＵ
１１０６  ＲＯＭ
１１０７  ＲＡＭ
１３０１  脈拍センサ
１３０２  脈拍センサ処理回路
１３０３  加速度センサ
１３０４  加速度センサ処理回路
１３０５  無線送受信機
１３０６  アンテナ
１３１０  ＣＰＵ
１３１１  ＲＯＭ
１３１２  ＲＡＭ
１３１３  タイマ
１７０１  グルコースセンサ
１７０２  グルコースセンサ処理回路
１７０５  無線送受信機
１７０６  アンテナ
１７０８  ＲＯＭ
１７０９  ＲＡＭ
１７１０  タイマ
【図１】
2004358232.tif 000003
【図２】
2004358232.tif 000004
【図３】
2004358232.tif 000005
【図４】
2004358232.tif 000006
【図５】
2004358232.tif 000007
【図６】
2004358232.tif 000008
【図７】
2004358232.tif 000009
【図８】
2004358232.tif 000010
【図９】
2004358232.tif 000011
【図１０】
2004358232.tif 000012
【図１１】
2004358232.tif 000013
【図１２】
2004358232.tif 000014
【図１３】
2004358232.tif 000015
【図１４】
2004358232.tif 000016
【図１５】
2004358232.tif 000017
【図１６】
2004358232.tif 000018
【図１７】
2004358232.tif 000019